(57)【特許請求の範囲】
【請求項１】
植物が植栽される植栽基盤と、該植栽基盤を保持する植栽基盤保持部と、を備える壁面緑化ユニットがカーテンウォール構法の構造物の外壁面に沿って設置される壁面緑化構造であって、
前記構造物には、該構造物の方立を挟持する挟持部材と、
該挟持部材に支持され前記方立に沿って鉛直方向へ延在する縦枠材と、
水平方向に隣り合う前記縦枠材間に水平方向へ延在し前記縦枠材に支持された横枠材と、が設置され、
前記壁面緑化ユニットの前記植栽基盤保持部は、前記横枠材に着脱可能に取り付けられていることを特徴とする壁面緑化構造。
【請求項２】
前記挟持部材は、前記方立の一方の側部に配される第１側部材と、前記方立の他方の側部に配される第２側部材と、前記方立の前方で前記第１側部材と前記第２側部材との間に配される中間部材と、該中間部材の上下に接合され前記縦枠材が固定される縦枠材用下地部材とを備え、前記第１側部材および前記第２側部材は、前記方立および前記中間部材を側方から挟持していることを特徴とする請求項１に記載の壁面緑化構造
【請求項３】
前記縦枠材と前記方立との間には、前記壁面緑化ユニットに水分を供給する給水管が設けられていることを特徴とする請求項１又は２に記載の壁面緑化構造。
【請求項４】
前記横枠材は、前記構造物の無目の近傍に設けられていて、該無目と共に前記構造物の外方から化粧材に被覆されていることを特徴とする請求項１乃至３のいずれか１項に記載の壁面緑化構造。
【請求項５】
前記化粧材の上方には、前記壁面緑化ユニットが設置されていて、前記化粧材には、前記壁面緑化ユニットから排出された排水を流す排水溝が形成されていることを特徴とする請求項４に記載の壁面緑化構造。
【請求項６】
植物が植栽される植栽基盤と、該植栽基盤を保持する植栽基盤保持部と、を備える壁面緑化ユニットがカーテンウォール構法の構造物の外壁面に沿って設置される壁面緑化構造の施工方法であって、
前記構造物の外方から、該構造物の方立を挟持する挟持部材を設置する工程と、
前記挟持部材に支持されて鉛直方向へ延在する縦枠材を前記方立に沿って設置する工程と、
前記縦枠材に支持されて水平方向へ延在する横枠材を水平方向に隣り合う前記縦枠材間に設置する工程と、
前記壁面緑化ユニットの前記植栽基盤保持部を前記構造物の外方から前記横枠材に取り付ける工程と、を備えることを特徴とする壁面緑化構造の施工方法。
【発明の詳細な説明】
【技術分野】
【０００１】
本発明は、カーテンウォール構法の構造物の壁面緑化構造および壁面緑化構造の施工方法に関する。
【背景技術】
【０００２】
近年、都市部におけるヒートアイランド現象の緩和や大気の浄化、アメニティ空間の創出などを目的に、建物の壁面など様々な場所において緑化が行われている。そして、近年では、植物を植栽する植栽基盤を枠体で保持した壁面緑化ユニットを建物の壁面に取り付ける壁面緑化構造が提案されている（例えば、特許文献１乃至４参照）。このような緑化ユニットを使用することによって、短工期で壁面緑化を実現することができる。
【先行技術文献】
【特許文献】
【０００３】
【特許文献１】特開２００１−１６９６５８号公報
【特許文献２】特開２００２−９７６５３号公報
【特許文献３】特開２００２−３３５７６５号公報
【特許文献４】特開２００７−２２２０１５号公報
【発明の概要】
【発明が解決しようとする課題】
【０００４】
しかしながら、従来の壁面緑化構造では、壁面緑化ユニットが、ボルト・ナットやピンなどで建物の壁面に固定されているため、壁面にボルトを挿通させる孔をあけたり、ピンを打ち込んだりする必要がある。
また、建物の外壁をカーテンウォールで構成したカーテンウォール構法の場合には、主要部材である方立や無目にボルトを挿通させる孔をあけたり、ピンを打ち込んだりする必要があるため、方立や無目の強度が低下する虞がある。また、方立や無目に形成された孔から建物内部に雨水などが浸入する虞もある。
なお、カーテンウォールの無目カバーや方立カバーを工夫して、ボルトなどを予め組み込むことも可能であるが、カーテンウォールの種類ごとに型を製作しなくてはならない。
さらに、従来の壁面緑化構造では、壁面緑化ユニットの構造物への設置や取り外しが困難であり、設置作業や交換作業、メンテナンスが行いにくいという問題がある。
【０００５】
本発明は、上述する事情に鑑みてなされたもので、どのような断面形状のカーテンウォールであっても、方立や無目を傷つけることなく、また、新たな型を製作することなく構造物に壁面緑化ユニットを容易に取り付けることができる壁面緑化構造および壁面緑化構造の施工方法を提供することを目的とする。
【課題を解決するための手段】
【０００６】
上記目的を達成するため、本発明に係る壁面緑化構造は、植物が植栽される植栽基盤と、該植栽基盤を保持する植栽基盤保持部と、を備える壁面緑化ユニットがカーテンウォール構法の構造物の壁面に沿って設置される壁面緑化構造であって、前記構造物には、該構造物の方立を挟持する挟持部材と、該挟持部材に支持され前記方立に沿って鉛直方向へ延在する縦枠材と、水平方向に隣り合う前記縦枠材間に水平方向へ延在し前記縦枠材に支持された横枠材と、が設置され、前記壁面緑化ユニットの前記植栽基盤保持部は、前記横枠材に着脱可能に取り付けられていることを特徴とする。
【０００７】
本発明では、構造物には、方立を挟持する挟持部材と、挟持部材に支持され方立に沿って鉛直方向へ延在する縦枠材と、水平方向に隣り合う縦枠材間に水平方向へ延在し縦枠材に支持された横枠材と、が設置され、壁面緑化ユニットの植栽基盤保持部が横枠材に着脱可能に構成されている。これにより、構造物に壁面緑化ユニットを設置する際に、構造物の方立や無目に壁面緑化ユニットを固定するためのボルトを挿通させる孔などを形成する必要がないため、方立や無目を傷つけずに壁面緑化ユニットを構造物に設置することができる。
また、壁面緑化ユニットは、植栽基盤保持部が横枠材に対して着脱可能であるため、構造物の方立や無目に固定される従来の壁面緑化ユニットと比べて、壁面緑化ユニットの設置や取り外しを容易に行うことができる。
また、方立を挟持部材で挟持し、縦枠材および横枠材の設置は構造物の外部から設置することができるため、構造物の内部を使用している状態でも壁面緑化ユニットを設置することができる。
また、横枠材は、鉛直方向に延在する縦枠材に支持されていることにより、任意の高さに設置することができる。そして、横枠材の高さを調整すれば、壁面緑化ユニット高さを任意の高さに設置することができるため、構造物の壁面のデザイン性を高めることができる。また、例えば、腰壁のパネルが設置されている部分や、構造物内部に柱が立設されている部分など任意の場所の壁面緑化を行うことができる。
【０００８】
また、本発明に係る壁面緑化構造では、前記挟持部材は、前記方立の一方の側部に配される第１側部材と、前記方立の他方の側部に配される第２側部材と、前記方立の前方で前記第１側部材と前記第２側部材との間に配される中間部材と、該中間部材の上下に接合され前記縦枠材が固定される縦枠材用下地部材とを備え、前記第１側部材および前記第２側部材は、前記方立および前記中間部材を側方から挟持していることが好ましい。
本発明では、第１側部材および第２側部材は、方立および中間部材を側方から挟持することにより、方立と中間部材とを固定することができるため、中間部材に固定される縦枠材用下地部材が方立に支持固定された構造とすることができる。これにより、縦枠材用下地部材に固定される縦枠材は、方立に支持固定された構造とすることができる。
【０００９】
また、本発明に係る壁面緑化構造では、前記縦枠材と前記方立との間には、前記壁面緑化ユニットに水分を供給する給水管が設けられていることが好ましい。
本発明では、縦枠材と方立との間には、壁面緑化ユニットに水分を供給する給水管が設けられていることにより、植栽基盤の保水状態を常に良好に保持することができる。また、給水管が縦枠材に覆われた状態となるので、給水管が露出せずに外観が良いと共に、給水管の直射日光の影響による経年劣化を抑制することができる。
【００１０】
また、本発明に係る壁面緑化構造では、前記横枠材は、前記構造物の無目の近傍に設けられていて、該無目と共に前記構造物の外方から化粧材に被覆されていてもよい。
本発明では、横枠材は、構造物の無目の近傍に設けられていて、無目と共に構造物の外方から化粧材に被覆されていることにより、横枠材が露出しないため、外観をよくすることができる。
【００１１】
また、本発明に係る壁面緑化構造では、前記化粧材の上方には、前記壁面緑化ユニットが設置されていて、前記化粧材には、前記壁面緑化ユニットから排出された排水を流す排水溝が形成されていてもよい。
本発明では、化粧材には、上側に設置された壁面緑化ユニットから排出された排水を流す排水溝が形成されていることにより、壁面緑化ユニットから排出された排水によって構造物の壁面が汚れることを防止できる。そして、化粧材に排水溝が形成されていることにより、化粧材と別に排水管などを設置する場合と比べて、部材が少ないため、施工を容易に行うことができる。
【００１２】
また、本発明に係る壁面緑化構造の施工方法では、植物が植栽される植栽基盤と、該植栽基盤を保持する植栽基盤保持部と、を備える壁面緑化ユニットがカーテンウォール構法の構造物の外壁面に沿って設置される壁面緑化構造の施工方法であって、前記構造物の外方から、該構造物の方立を挟持する挟持部材を設置する工程と、前記挟持部材に支持されて鉛直方向へ延在する縦枠材を前記方立に沿って設置する工程と、前記縦枠材に支持されて水平方向へ延在する横枠材を水平方向に隣り合う前記縦枠材間に設置する工程と、前記壁面緑化ユニットの前記植栽基盤保持部を前記構造物の外方から前記横枠材に取り付ける工程と、を備えることを特徴とする。
【００１３】
本発明では、すべての工程を構造物の外方から行うことができるため、構造物の内部を使用した状態でも構造物に壁面緑化構造を施工することができる。
【発明の効果】
【００１４】
本発明によれば、方立や無目を傷つけずに壁面緑化ユニットを構造物に設置することができることにより、構造物の強度低下を防止することができると共に、壁面緑化ユニットの横枠材への設置および取り外しが容易であるため、施工性やメンテナンス性を向上させることができる。
また、すべての工程を構造物の外方から行うことができるため、構造物の内部を使用した状態でも構造物に壁面緑化構造を施工することができる。
【図面の簡単な説明】
【００１５】
【図１】（ａ）は本発明の実施の形態による壁面緑化構造の一例を示す図、（ｂ）は（ａ）のＡ−Ａ線断面図である。
【図２】（ａ）は挟持部材を説明する図で（ｂ）のＢ−Ｂ線断面図、（ｂ）は挟持部材の正面図である。
【図３】挟持部材の分解斜視図である。
【図４】（ａ）は横枠材化粧カバーおよび無目化粧カバーを説明する図、（ｂ）は（ａ）のＣ−Ｃ線断面図である。
【図５】（ａ）、（ｂ）は壁面緑化ユニットの施工工程を説明する図である。
【図６】（ａ）、（ｂ）は図５に続く壁面緑化ユニットの施工工程を説明する図である。
【図７】図６に続く壁面緑化ユニットの施工工程を説明する図である。
【発明を実施するための形態】
【００１６】
以下、本発明の実施の形態による壁面緑化構造について、図１乃至図４に基づいて説明する。
図１（ａ）、（ｂ）に示すように、本実施の形態による壁面緑化構造１では、板状に形成されて図示しない植物が植栽される固化培土（植栽基盤）３と、固化培土３の両面に設けられたメッシュ（植栽基盤保持部）４と、を備えた壁面緑化ユニット２が、カーテンウォール構法の構造物２１の外壁面に設置されている。
【００１７】
カーテンウォール構法の構造物２１の外壁面には、鉛直方向に延在する方立２２と、水平方向に延在する無目２３とが配設され、水平方向に隣り合う方立２２，２２と隣り合う方立２２，２２間に配設された鉛直方向に隣り合う無目２３，２３との内方にガラスやパネルなどの面材２９が設置されている。壁面緑化ユニット２は、この面材２９の外側に設置されている。
【００１８】
壁面緑化ユニット２が設置されている部分に隣接する方立２２には、この方立２２を挟持する挟持部材２４が複数取り付けられている。また、この挟持部材２４には、方立２２に沿って延在する縦枠材２５が支持固定されている。そして、水平方向に隣り合う縦枠材２５，２５間には、水平方向に延在する横枠材２６が架設され、横枠材２６はその両端が縦枠材２５に支持固定されている。本実施の形態では、横枠材２６は、壁面緑化ユニット２が設置される部分の上側に位置する無目２３の直近下側に設けられている。
壁面緑化ユニット２は、この横枠材２６に着脱可能に取り付けられている。
【００１９】
図２に示すように、挟持部材２４は、方立２２の一方の側部２２ａに配される第１側部材３１と、他方の側部２２ｂに配される第２側部材３２と、第１および第２側部材３１，３２間に配される中間部材３３と、第１側部材３１と第２側部材３２とを固定する固定具３４と、中間部材３３の上下に接合され縦枠材２５（図２（ａ）参照）が固定される縦枠材用下地部材３５（図２（ｂ）参照）とを備えている。
【００２０】
図２および図３に示すように、第１側部材３１は、方立２２の一方の側部２２ａ（図２（ａ）参照）と当接する方立当接部４１と、方立２２の前面２２ｃ（図２（ａ）参照）側で方立当接部４１よりも方立２２の中心側に位置し中間部材３３と当接する中間部材当接部４２と、方立当接部４１と中間部材当接部４２とを接続する接続部４３と、を備えている。
第２側部材３２は、第１側部材３１と左右対称に形成されていて、方立２２の他方の側部２２ｂと当接する方立当接部４４と、方立２２の前面２２ｃ側で方立当接部４４よりも方立２２の中心側に位置し中間部材３３と当接する中間部材当接部４５と、方立当接部４４と中間部材当接部４５とを接続する接続部４６と、を備えている。
【００２１】
第１側部材３１の接続部４３、第２側部材３２の接続部４６には、方立２２の前方から方立２２の前面２２ｃに向かい、方立２２の前面２２ｃに当接するボルト４７が挿通される孔部４３ａ，４６ａが形成されている。このボルト４７は、第１側部材３１および第２側部材３２を方立２２側に押さえるためのボルトである。
【００２２】
中間部材３３は、断面形状が略Ｃ字型で、上下方向に長尺の部材で、方立２２の前面２２ｃ側に配設される。
中間部材３３は、第１側部材３１の中間部材当接部４２または第２側部材３２の中間部材当接部４５と、方立２２への設置前に工場等で当接した状態で接合されていてもよい。本実施の形態では第１側部材３１と中間部材３３とが予め接合されている。
固定具３４は、第１側部材３１と第２側部材３２とを接近させて固定させる部材である。本実施の形態では固定具３４はボルトとナットとで構成され、第１側部材３１の中間部材当接部４２、第２側部材３２の中間部材当接部４５および中間部材３３に、ボルトが挿通する孔部４２ａ，４５ａ，３３ａが形成して、これらの孔部４２ａ，４５ａ，３３ａにボルトを挿通させてナットを締結する構成としてもよい。
縦枠材用下地部材３５は、所定の長さを有し、方立２２の幅よりもやや小さい幅に形成された断面形状が略Ｃ字型の部材である。縦枠材用下地部材３５は、中間部材３３の上部および下部に溶接などで接合されている。なお、縦枠材用下地部材３５と中間部材３３とは、方立２２への設置前に工場等で接合されていてもよい。
【００２３】
図１および図２に示すように、縦枠材２５は、方立２２と略同じ幅に形成されており、挟持部材２４の縦枠材用下地部材３５（図２（ｂ）参照）に固定されている。図２（ａ）に示すように、縦枠材２５は、断面形状が略Ｃ字型に形成されていて、縦枠材用下地部材３５との間には間隙部４８が形成されている。この間隙部４８には、固化培土３に水を供給する潅水チューブ６が接続される給水管１４（図５（ｂ）参照）が設置される。
なお、給水管１４は、方立２２と中間部材３３との隙間に配置されてもよい。
また、縦枠材２５には、給水管１４と接続される潅水チューブ６が挿通可能な孔部（不図示）が形成されている。
【００２４】
横枠材２６は、両端部２６ａが図示しない固定具などで縦枠材２５に固定されていて、縦枠材２５に対して任意の高さに設置することができる。本実施の形態では、無目２３の直下の高さに横枠材２６が設置されている。また、固定具は、例えば、縦枠材２５と横枠材２６に固定されるＬ型金物などとすることができる。
図４（ａ）、（ｂ）に示すように、横枠材２６には、横枠材２６を覆う横枠材化粧カバー（化粧材）１５が設置される。横枠材化粧カバー１５には、上側に位置する壁面緑化ユニット２の固化培土３からの排水を受ける排水溝１５ａ（図４（ｂ）参照）が形成されている。
なお、横枠材２６が無目２３の直上または直下にある場合には、横枠材化粧カバー１５が横枠材２６および無目２３を覆う形状としてもよい。
また、横枠材化粧カバー１５には、排水溝１５ａが形成されているが、排水溝１５ａが形成されていない横枠材化粧カバーとしてもよく、この場合、横枠材化粧カバーと無目２３との間に、上側に位置する壁面緑化ユニット２の固化培土３からの排水を流す排水管を設けてもよい。
【００２５】
また、壁面緑化ユニット２の下方の無目２３も無目化粧カバー１６に覆われることが好ましい。この無目化粧カバー１６にも壁面緑化ユニット２の固化培土３からの排水を受ける排水溝１６ａ（図４（ｂ）参照）が形成されている。
なお、必要に応じて、縦枠材２５と縦枠材用下地部材３５との間の間隙部４８（図２（ａ）参照）に、横枠材化粧カバー１５の排水溝１５ａや、無目化粧カバー１６の排水溝１６ａに収容された排水を流す排水管を設けてもよい。
【００２６】
固化培土３は、例えば、無機質発泡体などの軽量土に熱融着性繊維を配合させて熱処理により固化してなる培土基盤で構成されている。無機質発泡体の例として、パーライトが挙げられる。固化培土３には、上部側が下部側に比べて保水性の高い材料が使用されることが好ましい。
このように、固化培土３を植栽基盤とすることにより、壁面緑化ユニットの軽量化２を図ることができて、構造物２１への荷重負担を軽減することができると共に、壁面緑化ユニット２の設置や取り外しを容易にすることができる。
なお、本実施形態では、固化培土３を植栽基盤としてしているが、固化培土３に代わって、不織布マットやスポンジ状のマットなどを植栽基盤としてもよい。また、植栽基盤は、その形状を保持可能で、飛散しにくく、垂直面への植栽が可能であれば、その他のものとしてもよい。
【００２７】
メッシュ４は、鋼線などの線状部材を縦横に格子状に組まれた部材である。固化培土３の両面側に設けられたメッシュ４は互いに固定され、固化培土３が崩れることを防止している。
固化培土３の上部には、その幅の略全長にわたって固化培土３に水を供給する潅水チューブ６が設けられている。潅水チューブ６には、給水用孔部が複数形成されており、固化培土３に水を供給することができるように構成されている。潅水チューブ６は、給水管１４に接続されている。
給水管１４は、隣接する壁面緑化ユニット２の潅水チューブ６とも接続されている。
【００２８】
次に、上述した壁面緑化ユニット２の施工方法（壁面緑化構造の施工方法）について図面を用いて説明する。
まず、図５（ａ）に示すように、構造物２１の方立２２に挟持部材２４を設置する。
挟持部材２４の設置は、図２に示す方立２２の一方の側部２２ａに第１側部材３１を設置して、他方の側部２２ｂに第２側部材３２を設置し、第１側部材３１と第２側部材３２との間に中間部材３３を設置する。
そして、固定具３４のボルトを第１側部材３１の中間部材当接部４２、第２側部材３２の中間部材当接部４５、中間部材３３のそれぞれに形成された孔部４２ａ，４５ａ，３３ａに挿入しナットで締結する。これにより、方立２２は、第１側部材３１および第２側部材３２に挟持される
また、第１側部材３１の接続部４３および第２側部材３２の接続部４６に形成された孔部４３ａ，４６ａにボルトを挿入し、第１側部材３１および第２側部材３２を方立２２側に押圧する。
そして、中間部材３３に縦枠材用下地部材３５を接合する。
【００２９】
次に、給水管１４を設置する。
図５（ｂ）に示すように、方立２２に沿って給水管１４を設置する。このとき、必要に応じて、縦枠材２５と縦枠材用下地部材３５との間の間隙部４８（図２（ａ）参照）に、横枠材化粧カバー１５の排水溝１５ａや、無目化粧カバー１６の排水溝１６ａ（図４参照）に収容された排水を流す排水管を設けてもよい。
【００３０】
次に、縦枠材２５および横枠材２６を設置する。
図６（ａ）に示すように、挟持部材２４の縦枠材用下地部材３５に縦枠材２５を固定する。
そして、隣り合う縦枠材２５間で壁面緑化ユニット２を設置する部分の上側の無目２３の下方に横枠材２６を設置する。このとき、横枠材２６の両端部２６ａを、例えば、Ｌ型金物などで縦枠材２５に固定する。
このとき、縦枠材２５に形成された図示しない孔部から縦枠材２５内部に潅水チューブを挿入し、給水管１４に潅水チューブ６を接続する。
【００３１】
次に、壁面緑化ユニット２の組み立てを行う。
図１に示す固化培土３の両面にメッシュ４を取り付け、メッシュ４で固化培土３を挟んだ状態とする。
なお、壁面緑化ユニット２の組み立ては、縦枠材２５および横枠材２６を設置する前に行ってもよい。例えば、予め組み立てた壁面緑化ユニット２を設置現場に搬入することで、壁面緑化ユニット２を設置する時間を短縮することができる。
【００３２】
次に、壁面緑化ユニット２を横枠材２６に固定する。
図６（ｂ）に示すように、横枠材２６に壁面緑化ユニット２を固定する。本実施の形態では、横枠材２６の下側に壁面緑化ユニット２を配設し、例えば、横枠材２６に設けられたフック（不図示）などにメッシュ４の一部を引っ掛けることで壁面緑化ユニット２が横枠材２６に固定される。
【００３３】
次に、横枠材化粧カバー１５および無目化粧カバー１６を設置する。
図７に示すように、壁面緑化ユニット２の上方の横枠材２６および無目２３の前面に横枠材化粧カバー１５を設置し、壁面緑化ユニット２の下方の無目２３の前面に無目化粧カバー１６を設置する。横枠材化粧カバー１５および無目化粧カバー１６は、横枠材２６や無目２３に引っ掛けて取り付ける構成とする。
このとき、無目化粧カバー１６の排水溝１６ａに固化培土３からの排水が流入するように位置調整を行う。
次に、潅水タイマー（不図示）や、給水に肥料を混合させる肥料混合装置（不図示）などを例えば潅水用の給水ポンプ（不図示）の近傍に設置する。
そして、固化培土３に植物を植栽し、壁面緑化ユニット２が施工され、本実施の形態の壁面緑化構造１が構築される。なお、植物は予め固化培土３に植栽しておいてもよい。
【００３４】
また、メンテナンスなどにより、壁面緑化ユニット２を取り外すときには、まず、横枠材２６および無目２３から横枠材化粧カバー１５を外し、潅水チューブ６を固化培土３と離して、壁面緑化ユニット２を横枠材２６から取り外す。
【００３５】
次に、上述した本実施の形態の壁面緑化構造１の効果について説明する。
本実施の形態による壁面緑化構造１では、方立２２を挟持する挟持部材２４に縦枠材２５が固定され、この縦枠材２５に固定された横枠材２６に壁面緑化ユニット２が設置される構造であることにより、壁面緑化ユニット２を固定するために、固定用のボルトを挿通させる孔を方立２２や無目２３に開けるなど方立２２や無目２３を傷つけることがないので、構造物２１の強度低下を防止できる効果を奏する。
また、方立２２や無目２３にボルト孔が形成されないので、ボルト孔から構造物２１内部に雨水などが浸入するということがない。
また、壁面緑化ユニット２の横枠材２６への設置および取り外しが容易であることにより、施工性やメンテナンス性を向上させることができる。
また、壁面緑化ユニット２の施工は構造物２１の外方からのみの工事であるので、構造物２１内部を使用した状態で施工することができる。
また、横枠材２６の高さを任意の高さに設定できるので、デザイン性を高めることができる。また、腰壁部分や、構造物２１内に柱がある部分など任意の場所のみの壁面緑化を行うことができる
【００３６】
以上、本発明による壁面緑化構造の実施の形態について説明したが、本発明は上記の実施の形態に限定されるものではなく、その趣旨を逸脱しない範囲で適宜変更可能である。
例えば、本実施の形態では、横枠材２６は、壁面緑化ユニット２の上側に設置してあるが、壁面緑化ユニット２の上下に横枠材２６を設置し、この上下の横枠材２６に壁面緑化ユニット２固定してもよい。この場合、壁面緑化ユニット２の下側の横枠材２６にも横枠材化粧カバー１５を設置し、この横枠材化粧カバー１５の排水溝１５ａに壁面緑化ユニット２の固化培土３からの排水が流れ込むようにすることが好ましい。
また、例えば、本実施の形態では、壁面緑化ユニット２は、固化培土３を固化培土３の両面に沿って設置されたメッシュ４で保持しているが、メッシュ４に代わって、枠材などで固化培土３を保持してもよい。
また、例えば、本実施の形態では、挟持部材２４は、第１側部材３１および第２側部材３２が、方立２２および中間部材３３を側方から挟持し、中間部材３３に縦枠材用下地部材３５が固定されているが、中間部材３３が縦枠材用下地部材３５を兼ねる構成とし、中間部材３３に縦枠材２５が固定される構成としてもよい。
【符号の説明】
【００３７】
１  壁面緑化構造
２  壁面緑化ユニット
３  固化培土（植栽基盤）
４  メッシュ（植栽基盤保持部）
１４  給水管
１５  横枠材化粧カバー
２１  構造物
２２  方立
２３  無目
２４  挟持部材
２５  縦枠材
２６  横枠材
３１  第１側部材
３２  第２側部材
３３  中間部材
３５  縦枠材用下地部材
【図１】
0005682022.tif 000002
【図２】
0005682022.tif 000003
【図３】
0005682022.tif 000004
【図４】
0005682022.tif 000005
【図５】
0005682022.tif 000006
【図６】
0005682022.tif 000007
【図７】
0005682022.tif 000008